(57)【要約】【課題】製造が容易で、コスト的に有利なモータポンプ装置を提供する。【解決手段】モータポンプ装置１の呼吸孔１２を通気性且つ防水性を有するフィルタで塞いだ。呼吸孔１２をフィルタ１４で塞いでも、フィルタ１４の通気性により呼吸機能を保持したまま、フィルタの防水性により水の浸入を防止できる。雨天走行時や洗車時等に呼吸孔１２部分が被水しても、水がモータ収容室２内に浸入するおそれはない。呼吸孔１２をフィルタ１４で塞ぐだけの簡単な構造であり、従来のように複雑な迷路構造を形成する必要がないため、製造が容易で、コスト的に有利である。また、モータポンプ装置１の全体形状及びサイズの変更が小さく、周辺構造に影響を与えない。【選択図】図４
2008002407.tif 000002
【特許請求の範囲】
【請求項１】
内部にモータ収容室とポンプ室とを備えたケースと、前記モータ収容室に配置されたモータと、前記ポンプ室に回転自在に配置され前記モータによって駆動して液体を圧送するインペラと、を備えるモータポンプ装置であって、
前記ケースの内部のモータ収容室と前記ケースの外部とを連通する呼吸孔を、通気性且つ防水性を有するフィルタで塞いだことを特徴とするモータポンプ装置。
【請求項２】
請求項１記載のモータポンプ装置であって、
前記呼吸孔に、前記フィルタを貼着したことを特徴とするモータポンプ装置。
【請求項３】
請求項１記載のモータポンプ装置であって、
前記呼吸孔に、前記フィルタを内蔵したグロメットを取付けたことを特徴とするモータポンプ装置。
【請求項４】
請求項１〜３のいずれか１項に記載のモータポンプ装置であって、
前記フィルタが、樹脂製の微細多孔質膜であることを特徴とするモータポンプ装置。
松性の樹脂膜
【請求項５】
請求項４記載のモータポンプ装置であって、
前記フィルタに、織布、不織布、フェルト、ネットの少なくとも１つから成る通気性を有する基材を接合したことを特徴とするモータポンプ装置。
【発明の詳細な説明】
【技術分野】
【０００１】
本発明はモータポンプ装置に関するものである。
【背景技術】
【０００２】
従来より、自動車のウィンドウォッシャーやヘッドランプウォッシャーには、洗浄液を噴射するモータポンプ装置が使用されている。モータポンプ装置は、モータを内蔵した駆動部と、インペラを回転させて洗浄液をタンクより吸引して噴射するポンプ部と、から構成されている。モータの出力軸はシールを貫通してポンプ部側へ突出し、その先端にインペラが固定されている。インペラはモータの駆動力で回転し、洗浄液を圧送する。
【０００３】
モータを収納するモータ収容室内の空気は、モータ駆動時とモータ停止時の温度差より膨張と収縮を繰り返すため、モータ収容室を密閉化すると、収縮時（減圧時）に、ポンプ部の洗浄液が出力軸の貫通部を通じてモータ収容室に浸入するおそれがある。
【０００４】
これを防止するために、ケースにはモータ収容室の内部とケースの外部とを連通させる呼吸孔が形成されている。この呼吸孔は特殊な形状に形成され、そこにカバー部材を取付けることにより、呼吸孔とカバー部材との間に三次元的な迷路構造を形成し、空気だけが通過して水が浸入しないようにしている（例えば、特許文献１参照）。
【特許文献１】実用新案登録第２５４４３６０号公報
【発明の開示】
【発明が解決しようとする課題】
【０００５】
しかしながら、このような従来の技術にあっては、呼吸孔とカバー部材との間に三次元的な迷路構造を形成しているため、構造が複雑で、製造が困難であり、コスト的に不利である。
【０００６】
本発明は、このような従来の技術に着目してなされたものであり、製造が容易で、コスト的に有利なモータポンプ装置を提供するものである。
【課題を解決するための手段】
【０００７】
請求項１記載の発明は、ケースに内部のモータ収容室とケースの外部とを連通させる呼吸孔を設けたモータポンプ装置であって、前記呼吸孔を、通気性且つ防水性を有するフィルタで塞いだことを特徴とする。
【０００８】
請求項２記載の発明は、呼吸孔にフィルタを貼着したことを特徴とする。
【０００９】
請求項３記載の発明は、呼吸孔にフィルタを内蔵したグロメットを取付けたことを特徴とする。
【００１０】
請求項４記載の発明は、フィルタが樹脂製の微細多孔質膜であることを特徴とする。
【００１１】
請求項５記載の発明は、フィルタに、織布、不織布、フェルト、ネットの少なくとも１つから成る通気性を有する基材を接合したことを特徴とする。
【発明の効果】
【００１２】
請求項１記載の発明によれば、フィルタの通気性により呼吸孔の呼吸機能を保持したまま、フィルタの防水性により呼吸孔から水の浸入を防止することができる。フィルタで呼吸孔を塞ぐだだけの構造で、従来のように複雑な迷路構造を形成する必要がないため、製造が容易で、コスト的に有利である。
【００１３】
請求項２記載の発明によれば、呼吸孔にフィルタを貼着するだけの構造のため、構造が特に簡単である。
【００１４】
請求項３記載の発明によれば、呼吸孔にフィルタを内蔵したグロメットを取付ける構造のため、フィルタの取付け作業が容易である。
【００１５】
請求項４記載の発明によれば、フィルタが樹脂製の微細多孔質膜であるため、サイズが小さく、フィルタを設けても、モータポンプ装置の全体形状及びサイズの変更が小さい。
【００１６】
請求項５記載の発明によれば、フィルタに、通気性を有する織布、不織布、フェルト、ネットの少なくとも１つから成る通気性を有する基材を接合したため、フィルタの形状が安定し、取り扱いが容易になる。
【発明を実施するための最良の形態】
【００１７】
本発明は、製造が容易で、コスト的に有利なモータポンプ装置を提供するという目的を、内部にモータ収容室とポンプ室とを備えたケースと、前記モータ収容室に配置されたモータと、前記ポンプ室に回転自在に配置され前記モータによって駆動して液体を圧送するインペラと、を備えるモータポンプ装置であって、前記ケース内のモータ収容室と前記ケース外とを連通する呼吸孔を、通気性且つ防水性を有するフィルタで塞いだことで実現した。以下、本発明の実施例を図面に基づいて説明する。
【実施例１】
【００１８】
図１〜図４は、本発明の第１実施例を示す図である。この実施例に係るモータポンプ装置１は、自動車のウィンドウォッシャーやヘッドランプウォッシャーに使用されるもので、フロントガラスやヘッドランプに噴射する洗浄液をタンクから圧送するためのものである。
【００１９】
モータポンプ装置１は、内部にモータ収容室２およびポンプ室３を備えるケース５と、モータ収容室２に配置されたモータ６と、ポンプ室３に回転自在に配置されたインペラ１１と、を備えて構成されている。
【００２０】
ケース５は、全体として上下方向に延在する略円筒状に形成されており、内部のモータ収容室２とポンプ室３とが略円板状の隔壁４を隔てて上下に区画形成されている。
【００２１】
隔壁４の中央部には貫通孔４ａが設けられており、この貫通孔４ａを通じてモータの出力軸７がポンプ室３に突き抜けており、このモータの出力軸７の突出端部にインペラ１１が固定されている。
【００２２】
隔壁４の貫通孔４ａの周囲には、隔壁４からポンプ室３に向けて突出する円筒状のボス部４ｃが設けられており、このボス部４ｃの内周面とモータの出力軸７との間にシール部材としてのパッキン８が嵌合されて、このパッキン８が隔壁４の貫通孔４ａに密着することで、当該隔壁４の貫通孔４ａがシールされている。
【００２３】
ポンプ室３内には、上述の如くインペラ１１が配置されており、このポンプ室３の下部には、ポンプ室３の入口となる吸引筒９が一体に設けられているとともに、ポンプ室の側部には、ポンプ室３の出口となる排出筒１０が一体に設けられている。モータ６の駆動力によりインペラ１１が回転すると、洗浄液が図示せぬタンクからチューブを介して吸引筒９より吸引され、吸入された洗浄液が排出筒１０から噴射される。排出筒１０はチューブを介して図示せぬ噴射ノズルと連結され、噴射ノズルから洗浄液がフロントガラスやヘッドランプに噴射されるようになっている。
【００２４】
モータ収容室２の下部には、出力軸７の外周側に（この例では出力軸７を収容するボス部４ｃの外周側に）、空間Ｓが形成されており、その空間Ｓに相当するケース５の側壁に呼吸孔１２が形成されている。この呼吸孔１２は四角形で、モータ収容室２の内部の空間Ｓとケース５の外部と、を連通させている。この例では吸入孔１２は、モータ収容室２の底面（隔壁４の上面）と略同一の位置に設けられている。
【００２５】
ポンプ室３に対応するケース５の外周面は、モータ収容室３に対応するケース５の外周面よりも小径に形成されており、このため、ケース５の外周面のうち隔壁４に相当する位置には段差１３が設けられており、この段差１３の上側に呼吸孔１２が近接して設けられている。
【００２６】
この呼吸孔１２の外側には円形のフィルタ１４が貼着され、このフィルタ１４で呼吸孔１２が塞がれた状態となっている。なお、フィルタ１４は段差１３にまたがって貼着されている。フィルタ１４は四フッ化エチレン樹脂製の微細多孔質膜であり、微細多孔により、空気を通過する通気性を有するとともに水の通過を防止する防水性を有している。この例のフィルタ１４は、１ｃｍ２あたり数億個以上の微細孔を有しており、またフィルタ１４の通気量は１８ｃｃ／ｍｉｎである。
【００２７】
フィルタ１４には、ポリオレフィン系樹脂製の不織布から成る基材１５がラミネートされている。フィルタ１４に基材１５をラミネートしているため、フィルタ１４の形状が安定し、取り扱いが容易である。基材１５はフィルタ１４よりも高い通気性を有している。基材１５は、不織布の他に、織布、フェルト、ネット等でも良く、素材としても樹脂の他に、ガラスや金属等でも良い。フィルタ１４は基材１５側にリング状の両面接着テープ１６を有し、該両面接着テープ１６を介して呼吸孔１２に貼着され、呼吸孔１２を塞ぐ。フィルタ１４の下部は段差１３に沿って貼着された状態となる。
【００２８】
この実施例によれば、呼吸孔１２をフィルタ１４で塞いでも、フィルタ１４の通気性により呼吸機能を保持したまま、フィルタ１４の防水性により水の浸入を防止することができる。そのため、雨天走行時や洗車時等に呼吸孔１２部分が被水しても、水がモータ収容室２内に浸入するおそれはない。
【００２９】
以上のように、本実施例によれば、呼吸孔１２をフィルタ１４で塞ぐだけの簡単な構造であり、従来のように複雑な迷路構造を形成する必要がないため、製造が容易で、コスト的に有利である。
【００３０】
また、本実施例によれば、フィルタ１４が樹脂製の微細多孔質膜であるため、サイズが小さく、フィルタ１４を呼吸孔１２に貼着しても、モータポンプ装置１の全体形状及びサイズの変更が小さく、周辺構造に影響を与えない。
【００３１】
更に、本実施例によれば、呼吸孔１２がフィルタ１４で塞がれ、呼吸孔１２が開放状態とならないため、呼吸孔１２の位置も特別に被水しにくい位置に選定する必要がなく、モータポンプ装置１のレイアウト自由度が向上する。
【実施例２】
【００３２】
図５〜図７は、本発明の第２実施例を示す図である。この実施例のモータポンプ装置１７では、呼吸孔１８を円筒突起状に形成し、そこにフィルタ１９を内蔵したグロメット２０を差し込んで取付けている。
【００３３】
グロメット２０は貫通孔２１を有する円筒型で、その貫通孔２１を塞ぐようにフィルタ１９が一体的に組み込まれている。このフィルタ１９には、図示されていないが先の実施例と同様の基材がラミネートされている。
【００３４】
グロメット２０の先端側は開口端側に向けて除々に拡径するテーパ面２２になっており、水を外部に排出しやすい構造になっている。グロメット２０の基端側には呼吸孔１８の外径に相当する内径の差込部２３が形成されており、呼吸孔１８と隙間なく嵌合するようになっている。
【００３５】
この実施例によれば、上述の第１実施例の効果に加え、フィルタ１９を内蔵したグロメット２０を呼吸孔１８に取付けるようにしているため、フィルタ１９の取付け作業が容易である。
【産業上の利用可能性】
【００３６】
以上の実施例では、フィルタ１４、１９で呼吸孔１２、１８を塞ぐ構造として、貼着方式、及びグロメット方式を例にしたが、これらに限定されるものでなく、その他の方式でも良い。
【図面の簡単な説明】
【００３７】
【図１】本発明の第１実施例に係るモータポンプ装置を示す側面図。
【図２】フィルタを示す断面図。
【図３】呼吸孔にフィルタを貼着した状態を示すモータポンプ装置の部分側面図。
【図４】モータポンプ装置を示す断面図。
【図５】第２実施例に係るモータポンプ装置を示す断面図。
【図６】グロメットを示す断面図。
【図７】呼吸孔にグロメットを取付けた状態を示すモータポンプ装置の部分断面図。
【符号の説明】
【００３８】
１、１７  モータポンプ装置
２  モータ収容室
３  ポンプ室
５  モータケース
６  モータ
７  出力軸
１１  インペラ
１２、１８  呼吸孔
１４、１９  フィルタ
１５  基材
２０  グロメット
Ｓ  空間
【図１】
2008002407.tif 000003
【図２】
2008002407.tif 000004
【図３】
2008002407.tif 000005
【図４】
2008002407.tif 000006
【図５】
2008002407.tif 000007
【図６】
2008002407.tif 000008
【図７】
2008002407.tif 000009